(57)【要約】      （修正有）【課題】製造コストを抑えつつ、１枚目のティッシュペーパーを容易に取り出すことを可能にしたボックスティッシュを提供する。【解決手段】ボックスティッシュ１は、ティッシュペーパーが積層されているティッシュペーパー積層体と、外形が略直方体形状であり、ティッシュペーパーが取り出される取出口１２２が上面に形成される収容箱１２と、取出口１２２を覆うように収容箱１２の内側に貼付されていて、取出口１２２における短手方向の略中心に位置する部分に、取出口１２２における長手方向に延びていて両端が取出口１２２の縁に略突き当たっている第１のスリット１３１が形成されていると共に、第１のスリット１３１における取出口１２２の縁に略突き当たっている両端の各々から、第１のスリット１３１に略直交している方向で且つ互いに反対の方向に延びている一対の第２のスリット１３２が形成されているフィルム１３と、を備えている。【選択図】図２
0003219320.tif 000002
【実用新案登録請求の範囲】
【請求項１】
パルプを主成分とする１枚又は重ねられた複数枚のシートからなるティッシュペーパーが、ポップアップ式に次々に取り出されるように積層されているティッシュペーパー積層体と、
外形が略直方体形状であり、前記ティッシュペーパーが取り出される取出口が上面に形成される収容箱と、
前記取出口を覆うように前記収容箱の内側に貼付されていて、前記取出口における短手方向の略中心に位置する部分に、前記取出口における長手方向に延びていて両端が前記取出口の縁に略突き当たっている第１のスリットが形成されていると共に、前記第１のスリットにおける前記取出口の縁に略突き当たっている両端の各々から、前記第１のスリットに略直交している方向で且つ互いに反対の方向に延びている一対の第２のスリットが形成されているフィルムと、を備えていることを特徴とする
ボックスティッシュ。
【請求項２】
前記一対の第２のスリットの各々は、長さが１０ｍｍ以上２０ｍｍ以下であることを特徴とする
請求項１に記載のボックスティッシュ。
【請求項３】
前記フィルムは、前記第１のスリットにおける略中心に、略真円形状の孔を有していることを特徴とする
請求項１又は２に記載のボックスティッシュ。
【請求項４】
前記孔は、直径が１０ｍｍ以上２０ｍｍ以下であることを特徴とする
請求項３に記載のボックスティッシュ。
【考案の詳細な説明】
【技術分野】
【０００１】
本考案は、ボックスティッシュに関する。
【背景技術】
【０００２】
特許文献１には、１枚目のティッシュペーパーに舌片シールを貼着しておくことで、開封後に最初の１枚目のティッシュペーパーを容易に取り出すことを可能にしたボックスティッシュが開示されている。
【先行技術文献】
【特許文献】
【０００３】
【特許文献１】特開２０１６−０３０６０９号公報
【考案の概要】
【考案が解決しようとする課題】
【０００４】
しかしながら、上記のボックスティッシュでは、舌片シールを貼着しておく必要があり、製造コストが嵩む。
【０００５】
本考案は、上記課題を鑑みてなされたものであり、製造コストを抑えつつ、１枚目のティッシュペーパーを容易に取り出すことを可能にしたボックスティッシュを提供することを目的とする。
【課題を解決するための手段】
【０００６】
（１）本考案は、パルプを主成分とする１枚又は重ねられた複数枚のシートからなるティッシュペーパーが、ポップアップ式に次々に取り出されるように積層されているティッシュペーパー積層体と、外形が略直方体形状であり、前記ティッシュペーパーが取り出される取出口が上面に形成される収容箱と、前記取出口を覆うように前記収容箱の内側に貼付されていて、前記取出口における短手方向の略中心に位置する部分に、前記取出口における長手方向に延びていて両端が前記取出口の縁に略突き当たっている第１のスリットが形成されていると共に、前記第１のスリットにおける前記取出口の縁に略突き当たっている両端の各々から、前記第１のスリットに略直交している方向で且つ互いに反対の方向に延びている一対の第２のスリットが形成されているフィルムと、を備えていることを特徴とするボックスティッシュである。
【０００７】
（２）本考案はまた、前記一対の第２のスリットの各々は、長さが１０ｍｍ以上２０ｍｍ以下であることを特徴とする上記（１）に記載のボックスティッシュである。
【０００８】
（３）本考案はまた、前記フィルムは、前記第１のスリットにおける略中心に、略真円形状の孔を有していることを特徴とする上記（１）又は（２）に記載のボックスティッシュである。
【０００９】
（４）本考案はまた、前記孔は、直径が１０ｍｍ以上２０ｍｍ以下であることを特徴とする上記（３）に記載のボックスティッシュである。
【考案の効果】
【００１０】
本考案の上記（１）〜（４）に記載のボックスティッシュによれば、製造コストを抑えつつ、１枚目のティッシュペーパーを容易に取り出すことが可能になる。
【図面の簡単な説明】
【００１１】
【図１】本考案の第１実施形態に係るボックスティッシュの外観斜視図である。
【図２】図１に示すボックスティッシュの上面図であり、蓋を開けた後の状態を示す。
【図３】フィルムが貼付されている収納箱の展開図である。
【図４】使用時の流れを説明するボックスティッシュの外観斜視図であり、（Ａ）は蓋を開ける前の状態を示し、（Ｂ）は蓋を開けた後の状態を示し、（Ｃ）はティッシュペーパーを取り出した後の状態を示す。
【図５】本考案の第２実施形態に係るボックスティッシュの上面図であり、蓋を開けた後の状態を示す。
【考案を実施するための形態】
【００１２】
以下、図面を参照して、本考案の実施形態に係るボックスティッシュ１，２について詳細に説明する。
【００１３】
［第１実施形態］まず、図１〜図３を用いて、第１実施形態に係るボックスティッシュ１について説明する。図１は、ボックスティッシュ１の外観斜視図である。図２は、ボックスティッシュ１の上面図であり、蓋１２１を開けた後の状態を示す。図３は、フィルム１３が貼付されている収納箱１２の展開図である。
【００１４】
図１〜図３に示すボックスティッシュ１は、複数のティッシュペーパー１１１が収容箱１２に収容されたものであり、ティッシュペーパー１１１が１枚ずつ取り出されて使用される。具体的に、ボックスティッシュ１は、ティッシュペーパー積層体１１と、収容箱１２と、フィルム１３と、を備えている。
【００１５】
ティッシュペーパー積層体１１は、ティッシュペーパー１１１がポップアップ式に次々に取り出されるように積層されている。ティッシュペーパー１１１は、パルプを主成分とする１枚又は重ねられた複数枚のシートからなる。
【００１６】
収容箱１２は、外形が略直方体形状に組み立てられていて、上面にミシン目Ｐが形成されている。この収容箱１２は、ミシン目Ｐに沿って蓋１２１が切り離されることで、ティシュペーパー１１１が取り出される取出口１２２が形成される。
【００１７】
フィルム１３は、矩形状に構成されていて、取出口１２２を覆うように収容箱１２の内側に貼付されている。このフィルム１３は、第１のスリット１３１と、一対の第２のスリット１３２と、を有している。第１のスリット１３１は、フィルム１３に形成されている。具体的に、第１のフィルム１３１は、取出口１２２における短手方向の略中心に位置する部分に、取出口１２２における長手方向に延びていて両端が取出口１２２の縁に略突き当たっているように形成されている。一対の第２のスリット１３２は、フィルム１３に形成されている。具体的に、一対の第２のスリット１３２は、第１のスリット１３１における取出口１２２の縁に略突き当たっている両端の各々から、第１のスリット１３１に略直交している方向で且つ互いに反対の方向に延びているように形成されている。一対の第２のスリット１３２の各々は、長さが、１０ｍｍ以上２０ｍｍ以下であることが好ましく、１２ｍｍ以上１８ｍｍ以下であることがより好ましく、１５ｍｍであることが最も好ましい。
【００１８】
次に、図４を用いて、ボックスティッシュ１の使用時の流れを説明する。図４は、使用時の流れを説明するボックスティッシュ１の外観斜視図である。図４（Ａ）は、蓋１２１を開ける前の状態を示す。図４（Ｂ）は、蓋１２１を開けた後の状態を示す。図４（Ｃ）は、ティッシュペーパー１１１を取り出した後の状態を示す。
【００１９】
未使用のボックスティッシュ１は、蓋１２１が閉じている（図４（Ａ）参照）。まず、ミシン目Ｐに沿って蓋１２１が切り離されることで、取出口１２２が形成される（図４（Ｂ）参照）。取出口１２２を覆うように収容箱１２の内側にフィルム１３が貼付されている。フィルム１３に形成されている第１のスリット１３１からティッシュペーパー１１１が１枚ずつ取り出される（図４（Ｃ）参照）。フィルム１３に一対の第２のスリット１３２が形成されていることで、ティッシュペーパー１１１が取り出されることを容易にしている。
【００２０】
以上説明したように、このようなボックスティッシュ１によれば、製造コストを抑えつつ、１枚目のティッシュペーパー１１１を容易に取り出すことができる。また、２枚目以降のティッシュペーパー１１１についても、１枚ずつ容易に取り出すことができる。
【００２１】
［第２実施形態］次に、図４を用いて、第２実施形態に係るボックスティッシュ２について説明する。図５は、ボックスティッシュ２の上面図であり、蓋１２１を開けた後の
状態を示す。なお、第１実施形態と同様の構成、作用及び効果についての説明は適宜省略する。
【００２２】
図５に示すボックスティッシュ２は、フィルム１３に代えてフィルム２３を備えている点で第１実施形態に係るボックスティッシュ１と相違する。
【００２３】
フィルム２３は、矩形状に構成されていて、取出口１２２を覆うように収容箱１２の内側に貼付されている。このフィルム２３は、第１のスリット１３１と、一対の第２のスリット１３２と、孔２３１と、を有している。孔２３１は、フィルム２３に形成されている。具体的に、孔２３１は、第２のスリット１３１における略中心に、略真円形状に形成されている。孔２３１は、直径が、１０ｍｍ以上２０ｍｍ以下であることが好ましく、１２ｍｍ以上１８ｍｍ以下であることがより好ましく、１５ｍｍであることが最も好ましい。
【００２４】
フィルム２３に孔２３１が形成されていることで、ティッシュペーパー１１１が取り出されることを容易にしている。
【００２５】
なお、本考案は、上記各実施形態に限定されるものではなく、その趣旨及び技術思想を逸脱しない範囲で種々の変更が可能である。すなわち、各構成の位置、大きさ、長さ、形状、材質などは適宜変更できる。
【００２６】
例えば、上記第２実施形態では、フィルム２３に、第１のスリット１３１と共に、一対の第２のスリット１３２と孔２３１とが形成されている場合を例に説明したが、第１のスリット１３１と共に孔２３１のみが形成されていて、一対の第２のスリット１３２が形成されていないものであってもよい。
【符号の説明】
【００２７】
１，２  ボックスティッシュ
１１  ティッシュペーパー積層体
１１１  ティッシュペーパー
１２  収容箱
１２１  蓋
１２２  取出口
１３，２３  フィルム
１３１  第１のスリット
１３２  第２のスリット
２３１  孔
Ｐ  ミシン目
【図１】
0003219320.tif 000003
【図２】
0003219320.tif 000004
【図３】
0003219320.tif 000005
【図４】
0003219320.tif 000006
【図５】
0003219320.tif 000007